(57)【要約】【課題】被保定体の胴部周りを保定する保定装置を提供する。【解決手段】パレット２の被保定体載置部７に載置した被保定体６の胴部周りに中空の保定体５を装着し、パレット２に立設した支柱３と保定体５の間に連結部１３を設けて、保定体５を膨らませることにより連結部１３に張力を発生させて、保定体５で被保定体６を保定する。【選択図】  図１
2007106445.tif 000002
【特許請求の範囲】
【請求項１】
中央部に被保定体を載置する被保定体載置部を備えたパレットと、
前記パレットの被保定体載置部の周囲に立設した複数の支柱と、
前記被保定体載置部に載置した被保定体の胴部周りに装着され、空気導入口を備えた気密な袋状の保定体と、
前記保定体の周方向複数箇所に縦方向に設けた絞り部と、
前記保定体の絞り部と支柱を連結した連結部とを備え、
前記パレットの被保定体載置部に載置した被保定体の胴部周りに保定体を装着し、前記連結部で保定体と支柱を連結して、前記空気導入口から保定体に気体を入れ、保定体を膨らませて被保定体に密着させるとともに、連結部に張力を掛けて被保定体を支柱に保定する保定装置。
【発明の詳細な説明】
【技術分野】
【０００１】
本発明は保定装置に関するものである。
【背景技術】
【０００２】
従来の保定装置は被梱包体の種類や形状に対応した複数種の保定具が必要であって、かつ、それら保定具の大半は使用後に廃材となっていたため環境に対する負荷が大きかった。本発明者らは、例えば、特許第３００８９７１号において、任意形状の被保定体を保定可能であり、使用前や使用後は小さく折畳めて省スペース化が図れ、繰返し使用可能でき、廃材が発生せず、しかも保定作業が簡単な保定装置を既に提案している。この保定装置は、パレット上においた被保定体を柔軟性及び気密性を有するカバーで覆い、このカバーの裾部をパレットの側面に連続形成した環状溝に気密嵌合し、カバーの内側の空気を真空ポンプなどで脱気することにより、カバーを大気圧で被保定体に密着させてカバーとパレットとで被保定体を保定するものである。
【特許文献１】特許第３００８９７１号
【発明の開示】
【発明が解決しようとする課題】
【０００３】
しかし、この大気圧を利用した保定装置は、カバーに囲まれたパレット面を完全気密にする必要があるのでコスト高になる。また、気密性を確保した状態でカバーの裾部をパレットに取り付ける必要があるため、その保定作業が煩雑であった。
【課題を解決するための手段】
【０００４】
本発明に係る保定装置は、中央部に被保定体を載置する被保定体載置部を備えたパレットと、パレットの被保定体載置部の周囲に立設した複数の支柱と、被保定体載置部に載置した被保定体の胴部周りに装着され、空気導入口を備えた気密な袋状の保定体と、保定体の周方向複数箇所に縦方向に設けた絞り部と、保定体の絞り部と支柱を連結した連結部とを備え、パレットの被保定体載置部に載置した被保定体の胴部周りに保定体を装着し、連結部で保定体と支柱を連結して、空気導入口から保定体に気体を入れ、保定体を膨らませて被保定体に密着させるとともに、連結部に張力を掛けて被保定体を支柱に保定するものである。
【発明の効果】
【０００５】
この保定装置は、パレットと保定体を気密に取り付ける必要はないので、パレットの構造を簡素化でき、安価に製作することができる。また、被保定体の保定作業は、パレットの被保定体載置部に載置した被保定体の胴部周りに保定体を装着し、連結部で保定体と支柱を連結して、空気導入口から保定体に気体を入れるとよいので作業性もよい。
【発明を実施するための最良の形態】
【０００６】
以下に本発明の実施形態を図に基づいて説明する。
【０００７】
この保定装置１は、図１に示すように、パレット２と、支柱３と、天井部材４と、保定体５で構成されている。この実施形態に係る保定装置１は、保定する被保定体６として、具体的には、底部にキャスター６ａが付いたコピー機を保定するものである。また、この保定装置１は、使用前や使用後に小さく折り畳んで収納できる構造になっている。
【０００８】
パレット２は、中央部に被保定体６を載置する被保定体載置部７を備えている。この実施形態では、パレット２は、図１に示すように、方形状で、上面２ａの中央部に被保定体６としてのコピー機を載置する被保定体載置部７を載置している。また、パレット２の上面２ａの四隅には、支柱３を取り付けるため、支柱挿入穴２ｃを設けている。
【０００９】
このパレット２は、側面２ｂに、パレット２を移動させるときにフォークリフトのフォークを挿入するフォーク挿入穴２ｄを設けている。また、後述するが、この保定装置１は、被保定体６を保定しない場合には、各部材をコンパクトに纏めて収納、保管できるようになっており、このためパレット２の側面２ｂの各角部には両側面に跨ってゴムバンド１１を取り付けている。また、この実施形態では、被保定体としてキャスターの付いた立方体状のコピー機を保定するので、被保定体載置部７には、図１および図２に示すように、コピー機６のキャスター６ａを載せるため、下面には緩衝材１０を取り付けたレール９を敷設している。このレール９は、被保定体６を載せたときに、被保定体６の角部がパレット２の対角線上に向くように、パレット２上に配置している。
【００１０】
支柱３はパレット２の被保定体載置部７の周囲に複数立設させたものである。この実施形態では、支柱３に角柱を採用し、パレット２に形成した支柱挿入穴２ｃを角穴に形成している。そして、支柱３をパレット２の上面２ａの四隅に形成した支柱挿入穴２ｃにそれぞれを挿入して立設させている。また、この実施形態では、支柱３の上部に天井部材４を取り付けるので、保定するコピー機６の高さに応じて、適当な長さの支柱３を採用するとよい。また、汎用性を持たせるため、支柱３は長さを調整できる構造を備えたものにしてもよい。
【００１１】
天井部材４は支柱３の上部に支柱３間に掛け渡されるように取り付ける部材であり、この実施形態では、図１に示すように、方形状の天板で構成している。この天井部材４は、パレット２の外形よりも少し大きく形成されていて、図６に示すように、側面から下方にフランジ４ａを延出して、パレット２の上に天井部材４を重ね合わせたときに、パレット２の側面２ｂを覆うようにしている。また、天井部材４の上面の四隅には、図１，図５に示すように、上方へ突出した係止片４ｂを設けている。天井部材４の下面には、図２に示すように、各支柱３の上端を挿入する支柱挿入穴４ｃを設けている。この支柱挿入穴４ｃは、パレット２の支柱挿入穴２ｃと対向する位置に形成されている。
【００１２】
この実施形態では、各支柱３は下端部３ａをパレット２の支柱挿入穴２ｃに挿入して立設させ、各支柱３の上端部３ｂにそれぞれ天井部材４の支柱挿入穴４ｃを装着している。このように支柱３は上端部において、天井部材４を装着することにより、各支柱３の間隔が維持され、安定して起立する。なお、この実施形態では、支柱３は、パレット２の支柱挿入穴２ｃおよび天井部材４の支柱挿入穴４ｃにそれぞれ嵌合しており、特にビス止めは必要とせず、組み付け作業の作業性の向上をさせている。
【００１３】
また、天井部材４の上面には、図１に示すように、支柱３を横に寝かせて収容する溝４ｄ、４ｅを形成している。この実施形態では、天井部材４の対角線上に２本ずつ支柱を収容できるように、溝４ｄ、４ｅを十字に形成している。また、図６に示すように、一方の対角線上に形成した溝４ｅを他方の対角線上に形成した溝４ｄよりも深くして、溝４ｄ，４ｅに十字に配置する支柱３が交差する所で干渉しないようにしている。
【００１４】
保定体５は、袋状に形成され、被保定体載置部７に載置したコピー機６の胴部周りに装着される。この実施形態では、保定体５は、図１に示すように、コピー機６の胴部周りに装着される胴周保定部１２と、胴周保定部１２に取り付けられ、パレット２の四隅に立設される支柱３にそれぞれ連結される連結部１３を備えている。
【００１５】
胴周保定部１２は、気密性と柔軟性を有し、伸縮性をほとんど有しないシート材で作成した内周側生地と外周側生地を重ね合わせ、上下の裾部１２ａおよび周方向の端縁部１２ｂを高周波溶着法で熱溶着させて内部に気室を形成するとともに、周方向の端縁部１２ｂをミシン縫いなどにより接合することにより角筒状に形成している。この胴周保定部１２のシート材は、ポリウレタンからなる引布で形成することができる。この実施形態では、さらに、胴周保定部１２の周方向複数箇所に縦方向に絞り部１４を設けている。
【００１６】
絞り部１４は、胴周保定部１２の内周側生地と外周側生地を、縦方向の中間部を熱溶着することにより形成している。この実施形態では、コピー機６の胴部周りに装着したときに、胴周保定部１２の各辺を略３等分するように、各辺の中間部の２箇所および胴周保定部１２の角部を熱溶着して絞り部１４を形成している。絞り部１４の形成において、胴周保定部１２の上部と下部はそれぞれ熱溶着せずに、内部を連通させている。胴周保定部１２はコンプレッサを連結して空気を導入する空気導入口１５を設けるが、胴周保定部１２が周方向に連通しているので、空気導入口１５は一箇所に設けると良い。
【００１７】
連結部１３は、コピー機６の胴部周りに胴周保定部１２を装着したときに、胴周保定部１２の角部に相当する位置に取り付けている。連結部１３の取り付けは、胴周保定部１２を上下に熱溶着をした絞り部１４に、ミシン縫いなどで強固に取り付けている。この実施形態では、連結部１３は、シート材をループ状にし、ループ１６の両端を合わせて胴周保定部１２に縫い付けている。
【００１８】
次にコピー機６を保定装置１に保定する作業を説明する。
【００１９】
この保定装置１は、コピー機６を保定する際に、まず、パレット２上に、被保定体６をパレット２のほぼ中央に配置できるように、パレット２の中央部の被保定体載置部７にレール９を敷設する。そして、コピー機６のキャスター６ａをレール９に載せてパレット２の被保定体載置部７にコピー機６を載置する。この際、コピー機６の角部が、略パレット２の対角線方向に向くようにコピー機６を設置する。
【００２０】
次に、パレット２上に載置されたコピー機６の胴部周りに保定体５の胴周保定部１２を装着する。そして、図１に示すように、保定体５の連結部１３のループ１６に支柱３を通しつつ、支柱３の下端部３ａをパレット２の支柱挿入穴２ｃへ挿入し、図４に示すように、支柱３をパレット２の四隅に立設させる。そして、図１に示すように、支柱３の上端部３ｂに、天井部材４の支柱挿入穴４ｃを装着して、支柱３の上端に天井部材４を取り付ける。
【００２１】
このように、パレット２、コピー機６、支柱３、保定体５、天井部材４を組み付けた後、保定体５の空気導入口１５にコンプレッサを取り付け、空気を供給する。これにより、保定体５の胴周保定部１２を膨らませてコピー機６に密着させる。この際、コピー機６は保定体５の胴周保定部１２に導入された空気圧を受けて、周囲から保定される。また、保定体５の胴周保定部１２は膨れる際に、図３に示すように、胴周保定部１２の外周形状が一番無理のない形状に変形しようとする。その結果、胴周保定部１２に連結部１３を取付けた角部が内径側に移動する。これにより、支柱３と保定体５の胴周保定部１２を連結した連結部１３に図３の矢印で示すように所要のテンションが掛かる。
【００２２】
このように連結部１３に所要のテンションが掛かることにより、コピー機６は周囲から均等に引っ張られるようになる。また、支柱３は連結部１３を連結した部位にパレット２の内径方向への力が掛かり、それを支持すべく、パレット２の支柱挿入穴２ｃと天井部材４の支柱挿入穴４ｃにはそれぞれ外径方向に支柱を支持する力が作用する。これにより、パレット２と支柱３と天井部材４のそれぞれの結合も強固になる。さらに、コピー機６は保定体５の胴周保定部１２に締め付けられるとともに、連結部１３にテンションが掛かるので、上下方向にも動かないように保定される。このため、例えば、トラックなどで輸送する時に上下方向の揺れが作用した場合でも、コピー機６がパレット２上を飛び跳ねるなどの不具合が生じない。
【００２３】
次に、コピー機６の保定を解除する場合には、空気導入口１５の逆止弁を開いて空気導入口１５から保定体５内の気体を大気に開放するとよい。これにより、胴周保定部１２がコピー機６に密着した状態が解除され、連結部１３に掛かっていたテンションもなくなる。これにより、天井部材４、支柱３の順に、パレット２から取り外し、保定体５をコピー機６から取り外すとよい。
【００２４】
次に、この保定装置１を折り畳んで収納する作業を説明する。
【００２５】
まず、図５および図６に示すように、パレット２に敷設したレール９をパレット２の両側部に移動させ、パレット２の中央部にスペースを確保し、ここに保定体５を折り畳んで収納する。そして、パレット２の上に天井部材４を重ね合わせて、パレット２の側面の角部に設けたゴムバンド１１を天井部材４の係止片４ｂに係合させる。そして、天井部材４の溝４ｄ、４ｅに支柱３を収容する。これにより、保定装置１の一式（パレット２，支柱３，天井部材４，保定体５，被保定体載置部７）をコンパクトに一纏めにでき、収納輸送を容易にでき、また、再利用の際も、各部材が一纏めになっているので再利用が容易になる。
【００２６】
以上説明したように、パレット２と保定体５とを気密に取り付ける必要がないので、パレット２の構造を簡素化でき、安価な製作することができる。また、コピー機６の保定作業は、パレット２の被保定体載置部７に載置したコピー機６の胴周りに保定体を装着し、連結部１３で保定体５と支柱３を連結して、空気導入口１５から保定体５に気体を入れるとよいので作業性もよい。
【００２７】
以上、本発明の一実施形態に係る保定装置を説明したが、本発明に係る保定装置は、上記した実施形態に限定されるものでなく、本発明の要旨を逸脱しない範囲内において種々変更を加えることができる。
【００２８】
被保定体６は、キャスター付のコピー機で例示したが、コピー機に限定されるものではない。被保定体６としては、冷蔵庫や洗濯機，空気調和機の室外機等の立方体形状の製品であってもよい。また、被保定体の外観形状は、立方体形状に限定されるものではなく、円筒形状や円柱形状，多角形状であってもよい。また、キャスター付のコピー機を保定するのに、パレットの上面に傷を付けないために便宜上レールを敷設したが、斯かるレールは必ずしも必要なものでなく、保定する製品に応じて適宜使用することができる。
【００２９】
保定体５は、胴周保定部１２の角部に連結部１３を一体に取付けて例示したが、例えば、保定体５を胴周保定部１２とし、連結部１３を保定体５と別体にして係合させてもよい。また、連結部１３をループで例示したが、保定体５を膨らませたときに連結部１３に張力を発生させて、連結部１３と支柱３の係合が維持される構成であればよいので、ループに限定されるものではない。例えば、連結部１３を支柱３に巻きつけてマジックファスナで固定して連結部１３を支柱３から外れにくい取付構造とすることもできる。
【００３０】
また、保定体５の胴周保定部１２や連結部１３の熱溶着を高周波溶着法で例示したが、高周波溶着法に限定されない。例えば、熱板溶着法や超音波溶着法等を用いて熱溶着をすることができる。
【００３１】
天井部材４を、天板で例示したが、支柱３の上端部を固定して、支柱３間の長さを一定に維持できればよいので、天板に限定されるものではない。例えば、支柱３に係合される梁や桟であってもよい。この梁や桟で支柱３を固定するとき、隣接する支柱だけでなく、対角線上の支柱を固定してもよい。また、支柱３をパレットに強固に固定できる場合は、天井部材を省くことができる場合もある。
【００３２】
支柱３は、角柱で例示したが、角柱に限定されるものでない。例えば、円柱とすることもできる。この支柱を円柱にした場合は、支柱挿入穴２ｃ，４ｃも円穴に形成できる。また、支柱３は、パレット２の支柱挿入穴２ｃに挿入して立設して例示したが、別途係合部材で係合させてもよい。
【００３３】
また、保定体５の胴周保定体１２に空気を入れるのに、コンプレッサを例示したが、胴周保定部１２に空気を入れることができればよいので、例えば足踏み式のエアーポンプを使用することもできる。
【００３４】
また、パレット２と天井部材４をゴムバンド１１で係合させたが、保定装置１を折り畳んでコンパクトに一纏めにできればよいので、ゴムバンド１１に限定されることなく、紐等の係合部材であってもよい。
【図面の簡単な説明】
【００３５】
【図１】本発明の一実施形態を示す被保定体を載置した保定装置の分解斜視図である。
【図２】図１の被保定体を載置した保定装置を正面から見た一部破断面図である。
【図３】図２のＡ−Ａ線における保定体に気体を入れた状態を示す断面図である。
【図４】図３相当の保定体に気体を入れていない状態を示す断面図である。
【図５】図１の保定装置を畳んだ状態を示す斜視図である。
【図６】図５のＢ−Ｂ線における断面図である。
【符号の説明】
【００３６】
１     保定装置
２     パレット
２ａ   上面
２ｂ   側面
２ｃ   支柱挿入穴
２ｄ   フォーク挿入穴
３     支柱
３ａ   下端部
３ｂ   上端部
４     天井部材
４ａ   フランジ
４ｂ   係止片
４ｃ   支柱挿入穴
４ｄ，４ｅ    溝
５     保定体
６     被保定体（コピー機）
６ａ   キャスター
６ｂ   胴部
７     被保定体載置部
９     レール
１０   緩衝材
１１   ゴムバンド
１２   胴周保定部
１２ａ 裾部
１２ｂ 端縁部
１３   連結部
１４   絞り部
１５   空気導入口
１６   ループ
【図１】
2007106445.tif 000003
【図２】
2007106445.tif 000004
【図３】
2007106445.tif 000005
【図４】
2007106445.tif 000006
【図５】
2007106445.tif 000007
【図６】
2007106445.tif 000008